(57)【要約】【課題】視聴数を精度良く測定する。【解決手段】テレビ受信機５は、受信した放送コンテンツをディスプレイ６に出力する通信部５３と、携帯端末４から放送コンテンツと連携する連携アプリケーションの実行を示す実行情報を受信すると、携帯端末４のユーザが放送コンテンツを視聴しているか否かを判定し、携帯端末４のユーザが放送コンテンツを視聴していると判定すると、携帯端末４のユーザが放送コンテンツを視聴している旨を示す視聴情報を視聴数測定サーバ３に送信する装置送信部５４１とを有する。携帯端末４は、連携アプリケーションを実行する実行部４４２と、連携アプリケーションを実行すると実行情報をテレビ受信機５に送信する端末送信部４４６とを有する。視聴数測定サーバ３は、受信した視聴情報に基づいて放送コンテンツの視聴数を測定する視聴数測定部３１を有する。【選択図】図２
2018007265.tif 000002
【特許請求の範囲】
【請求項１】
携帯端末と、放送される放送コンテンツに関する情報を前記携帯端末に無線送信可能な受信装置と、前記放送コンテンツの視聴数を測定する視聴数測定装置とを備える視聴数測定システムであって、
前記受信装置は、
受信した前記放送コンテンツを表示部に出力する出力部と、
前記携帯端末から前記放送コンテンツと連携する連携アプリケーションの実行を示す実行情報を受信すると、当該携帯端末のユーザが前記放送コンテンツを視聴しているか否かを判定し、当該携帯端末のユーザが前記放送コンテンツを視聴していると判定すると、当該携帯端末のユーザが前記放送コンテンツを視聴している旨を示す視聴情報を前記視聴数測定装置に送信する装置送信部とを有し、
前記携帯端末は、
前記連携アプリケーションを実行する実行部と、
前記連携アプリケーションを実行すると前記実行情報を前記受信装置に送信する端末送信部とを有し、
前記視聴数測定装置は、
受信した前記視聴情報に基づいて前記放送コンテンツの視聴数を測定する視聴数測定部を有する、
視聴数測定システム。
【請求項２】
前記装置送信部は、前記携帯端末のユーザが前記放送コンテンツを視聴しているか否かを定期的に判定する、
請求項１に記載の視聴数測定システム。
【請求項３】
前記携帯端末は、
前記受信装置から受信した電波の強度を測定する測定部をさらに有し、
前記受信装置は、
前記携帯端末から、当該携帯端末が測定した前記電波の強度を示す電波強度情報を受信する装置受信部をさらに有し、
前記装置送信部は、受信した前記電波強度情報に基づいて、前記連携アプリケーションを実行している前記携帯端末のユーザが前記放送コンテンツを視聴しているか否かを判定する、
請求項１又は２に記載の視聴数測定システム。
【請求項４】
前記装置送信部は、前記装置受信部が前記携帯端末から所定時間内に前記電波強度情報を受信しなかった場合、当該携帯端末のユーザが前記放送コンテンツを視聴していないと判定し、前記視聴情報を送信しない、
請求項３に記載の視聴数測定システム。
【請求項５】
前記携帯端末又は前記視聴数測定装置は、前記携帯端末の操作状況に基づいて、当該携帯端末のユーザの前記放送コンテンツに対する関心度を測定する関心度測定部をさらに有する、
請求項１から４のいずれか１項に記載の視聴数測定システム。
【請求項６】
前記関心度測定部は、１以上の閾値と前記関心度とに基づいて、複数の前記関心度の大きさのいずれかに、前記携帯端末のユーザを分類し、
前記視聴数測定部は、分類されたユーザの数を集計することにより、前記関心度の大きさごとの前記視聴数を測定する、
請求項５に記載の視聴数測定システム。
【請求項７】
前記装置送信部は、受信した前記放送コンテンツから、前記携帯端末に対して前記連携アプリケーションの取得を指示する指示情報を取得すると、当該指示情報を前記携帯端末に送信し、
前記携帯端末は、
前記受信装置から前記指示情報を受信する指示情報受信部をさらに有し、
前記実行部は、前記指示情報に基づいて前記連携アプリケーションを取得して実行する、
請求項１から６のいずれか１項に記載の視聴数測定システム。
【請求項８】
携帯端末と、放送される放送コンテンツに関する情報を前記携帯端末に無線送信可能な受信装置と、前記放送コンテンツの視聴数を測定する視聴数測定装置とを備える視聴数測定システムであって、
前記受信装置は、
受信した前記放送コンテンツを表示部に出力する出力部を有し、
前記携帯端末は、
前記放送コンテンツと連携する連携アプリケーションを実行する実行部と、
前記連携アプリケーションを実行すると、当該連携アプリケーションの実行を示す実行情報を前記視聴数測定装置に送信する端末送信部と、
前記実行部が前記連携アプリケーションを実行している際に所定の操作を受け付けると、前記視聴数測定装置にアクセスする受付部とを有し、
前記視聴数測定装置は、
受信した前記実行情報に基づいて前記放送コンテンツの視聴数を測定する視聴数測定部を有し、
前記携帯端末又は前記視聴数測定装置は、前記携帯端末の操作状況に基づいて、当該携帯端末のユーザの前記放送コンテンツに対する関心度を測定する関心度測定部をさらに有する、
視聴数測定システム。
【請求項９】
前記関心度測定部は、前記連携アプリケーションが前記携帯端末に設けられている表示部に表示させる放送コンテンツを肯定的に評価するための画像の操作状況に基づいて前記関心度を測定する、
請求項８に記載の視聴数測定システム。
【発明の詳細な説明】
【技術分野】
【０００１】
本発明は、視聴数測定システムに関する。
【背景技術】
【０００２】
従来、テレビ番組における視聴率を測定することが行われている。例えば、特許文献１には、携帯端末が、テレビ番組の視聴に関する操作の履歴を示す操作履歴情報をサーバに送信し、サーバが、受信した操作履歴情報に基づいて視聴率を測定する方法が記載されている。
【先行技術文献】
【特許文献】
【０００３】
【特許文献１】特開２００５−７９６０９号公報
【発明の概要】
【発明が解決しようとする課題】
【０００４】
しかしながら、携帯端末の操作履歴に基づいて視聴数の測定を行う場合、テレビ番組を視聴しているユーザが携帯端末の操作を行わなければ正確に視聴数を測定することができないという問題がある。例えば、特許文献１に記載された方法では、携帯端末のユーザが、携帯端末を操作せずにテレビのリモコンを操作すると、操作履歴情報が送信されず、視聴数を正確に測定することができない。
【０００５】
本発明は、このような問題に鑑みてなされたものであり、視聴数を精度良く測定することができる視聴数測定システムを提供することを目的とする。
【課題を解決するための手段】
【０００６】
本発明の第１の態様に係る視聴数測定システムは、携帯端末と、放送される放送コンテンツに関する情報を前記携帯端末に無線送信可能な受信装置と、前記放送コンテンツの視聴数を測定する視聴数測定装置とを備える視聴数測定システムであって、前記受信装置は、受信した前記放送コンテンツを表示部に出力する出力部と、前記携帯端末から前記放送コンテンツと連携する連携アプリケーションの実行を示す実行情報を受信すると、当該携帯端末のユーザが前記放送コンテンツを視聴しているか否かを判定し、当該携帯端末のユーザが前記放送コンテンツを視聴していると判定すると、当該携帯端末のユーザが前記放送コンテンツを視聴している旨を示す視聴情報を前記視聴数測定装置に送信する装置送信部とを有し、前記携帯端末は、前記連携アプリケーションを実行する実行部と、前記連携アプリケーションを実行すると前記実行情報を前記受信装置に送信する端末送信部とを有し、前記視聴数測定装置は、受信した前記視聴情報に基づいて前記放送コンテンツの視聴数を測定する視聴数測定部を有する。
【０００７】
前記装置送信部は、前記携帯端末のユーザが前記放送コンテンツを視聴しているか否かを定期的に判定してもよい。
【０００８】
前記携帯端末は、前記受信装置から受信した電波の強度を測定する測定部をさらに有し、前記受信装置は、前記携帯端末から、当該携帯端末が測定した前記電波の強度を示す電波強度情報を受信する装置受信部をさらに有し、前記装置送信部は、受信した前記電波強度情報に基づいて、前記連携アプリケーションを実行している前記携帯端末のユーザが前記放送コンテンツを視聴しているか否かを判定してもよい。
【０００９】
前記装置送信部は、前記装置受信部が前記携帯端末から所定時間内に前記電波強度情報を受信しなかった場合、当該携帯端末のユーザが前記放送コンテンツを視聴していないと判定し、前記視聴情報を送信しないようにしてもよい。
【００１０】
前記携帯端末又は前記視聴数測定装置は、前記携帯端末の操作状況に基づいて、当該携帯端末のユーザの前記放送コンテンツに対する関心度を測定する関心度測定部をさらに有していてもよい。
【００１１】
前記関心度測定部は、１以上の閾値と前記関心度とに基づいて、複数の前記関心度の大きさのいずれかに、前記携帯端末のユーザを分類し、前記視聴数測定部は、分類されたユーザの数を集計することにより、前記関心度の大きさごとの前記視聴数を測定してもよい。
【００１２】
前記装置送信部は、受信した前記放送コンテンツから、前記携帯端末に対して前記連携アプリケーションの取得を指示する指示情報を取得すると、当該指示情報を前記携帯端末に送信し、前記携帯端末は、前記受信装置から前記指示情報を受信する指示情報受信部をさらに有し、前記実行部は、前記指示情報に基づいて前記連携アプリケーションを取得して実行してもよい。
【００１３】
本発明の第２の態様に係る視聴数測定システムは、携帯端末と、放送される放送コンテンツに関する情報を前記携帯端末に無線送信可能な受信装置と、前記放送コンテンツの視聴数を測定する視聴数測定装置とを備える視聴数測定システムであって、前記受信装置は、受信した前記放送コンテンツを表示部に出力する出力部を有し、前記携帯端末は、前記放送コンテンツと連携する連携アプリケーションを実行する実行部と、前記連携アプリケーションを実行すると、当該連携アプリケーションの実行を示す実行情報を前記視聴数測定装置に送信する端末送信部と、前記実行部が前記連携アプリケーションを実行している際に所定の操作を受け付けると、前記視聴数測定装置にアクセスする受付部とを有し、前記視聴数測定装置は、受信した前記実行情報に基づいて前記放送コンテンツの視聴数を測定する視聴数測定部を有し、前記携帯端末又は前記視聴数測定装置は、前記携帯端末の操作状況に基づいて、当該携帯端末のユーザの前記放送コンテンツに対する関心度を測定する関心度測定部をさらに有する。
【００１４】
前記関心度測定部は、前記連携アプリケーションが前記携帯端末に設けられている表示部に表示させる放送コンテンツを肯定的に評価するための画像の操作状況に基づいて前記関心度を測定してもよい。
【発明の効果】
【００１５】
本発明によれば、視聴数を精度良く測定することができるという効果を奏する。
【図面の簡単な説明】
【００１６】
【図１】第１の実施形態に係る視聴数測定システムの構成を示す図である。
【図２】第１の実施形態に係る視聴数測定サーバ、携帯端末及びテレビ受信機の機能構成を示すブロック図である。
【図３】連携アプリケーションの表示画面の一例である。
【図４】コンパニオンアプリの表示画面の一例である。
【図５】連携アプリケーションの表示画面の一例である。
【図６】第１の実施形態に係る視聴数測定システムにおける視聴数を測定する処理の流れを示すシーケンス図である。
【図７】第２の実施形態に係る視聴数測定サーバ、携帯端末及びテレビ受信機の機能構成を示すブロック図である。
【図８】第３の実施形態に係る視聴数測定サーバ、携帯端末及びテレビ受信機の機能構成を示すブロック図である。
【図９】第３の実施形態に係る視聴数測定システムにおける視聴数を測定する処理の流れを示すシーケンス図である。
【発明を実施するための形態】
【００１７】
＜第１の実施形態＞
［視聴数測定システムＳの概要］
図１は、第１の実施形態に係る視聴数測定システムＳの構成を示す図である。視聴数測定システムＳは、放送コンテンツサーバ１と、Ｗｅｂコンテンツサーバ２と、視聴数測定装置としての視聴数測定サーバ３と、携帯端末４（４Ａ、４Ｂ）と、テレビ受信機５（５Ａ、５Ｂ）と、ディスプレイ６（６Ａ、６Ｂ）とを備える。放送コンテンツサーバ１、Ｗｅｂコンテンツサーバ２及び視聴数測定サーバ３は、インターネット等のネットワーク７に接続されている。また、携帯端末４は、携帯電話網の基地局８、又はＷｉ−Ｆｉ（登録商標）等の無線通信回線を介してネットワーク７に接続されている。
【００１８】
本実施形態において、携帯端末４Ａ、テレビ受信機５Ａ及びディスプレイ６Ａが第１の家ａにあり、携帯端末４Ｂ、テレビ受信機５Ｂ及びディスプレイ６Ｂが第２の家ｂにあることを想定している。図１には、それぞれの家に１つの携帯端末４がある場合が示されているが、それぞれの家に２つ以上の携帯端末４があってもよい。また、図１においては、２つの家（第１の家ａ、第２の家ｂ）を示しているが、より多くの家の携帯端末４が放送コンテンツサーバ１、Ｗｅｂコンテンツサーバ２及び視聴数測定サーバ３に接続可能であってもよい。
【００１９】
放送コンテンツサーバ１は、例えば放送局のサーバである。放送コンテンツサーバ１は、テレビ受信機５が受信してディスプレイ６に表示することができる放送コンテンツを提供する。放送コンテンツサーバ１は、ネットワーク７を介してテレビ受信機５に放送コンテンツを提供してもよく、放送波を介してテレビ受信機５に放送コンテンツを提供してもよい。ここで、放送コンテンツは、放送番組で放映される映像や音声を含んで構成される。
【００２０】
Ｗｅｂコンテンツサーバ２は、携帯端末４を始めとする情報端末がブラウザによって閲覧することができるＷｅｂコンテンツを提供する。Ｗｅｂコンテンツは、例えばＨＴＭＬ５等により記述されたテキスト、画像又は映像を含むコンテンツである。Ｗｅｂコンテンツは、例えば、放送とインターネットとを融合させたサービスであるハイブリッドキャスト（登録商標）の端末連携サービスに伴う、放送コンテンツと連携する連携アプリケーションである。Ｗｅｂコンテンツを表示するブラウザとしては、一般的なブラウザだけでなく、テレビ受信機５と連携して機能する、連携アプリケーションを携帯端末４で実行させるためのコンパニオンアプリも含まれる。このコンパニオンアプリは、例えばリモコンアプリとしても機能し、携帯端末４からテレビ受信機５の操作を可能にする。
【００２１】
視聴数測定サーバ３は、携帯端末４における連携アプリケーションの実行状況に基づいて放送コンテンツの視聴数を測定する。
携帯端末４は、スマートフォン、携帯電話機、タブレット、及びゲーム機等である。携帯端末４は、無線通信回線を介してテレビ受信機５との間で情報の送受信をするとともに、無線通信回線、基地局８及びネットワーク７を介して、Ｗｅｂコンテンツサーバ２及び視聴数測定サーバ３との間で情報の送受信をすることができる。具体的には、携帯端末４は、ハイブリッドキャストに対応したテレビ受信機５から、放送コンテンツに対応する連携アプリケーションを起動するための指示情報を受信することができる。この指示情報には、連携アプリケーションを提供するＷｅｂコンテンツサーバ２のアドレスが含まれている。携帯端末４は、この指示情報を受信すると、指示情報に含まれるアドレスに基づいてＷｅｂコンテンツサーバ２にアクセスし、テレビ受信機５が受信した放送コンテンツに関連する連携アプリケーションを取得して実行することができる。
【００２２】
テレビ受信機５は、放送コンテンツサーバ１から配信される放送コンテンツを受信するチューナーを有するセットトップボックス（ＳＴＢ）である。テレビ受信機５は、ネットワーク７又は放送波を介して、放送コンテンツサーバ１から放送コンテンツを受信する。テレビ受信機５とディスプレイ６とは、例えばＨＤＭＩ（High-Definition Multimedia Interface）（登録商標）ケーブルにより接続されており、テレビ受信機５が受信した放送コンテンツがディスプレイ６に表示される。また、テレビ受信機５は、携帯端末４と無線通信を行い、携帯端末４の操作指示に基づいて、ディスプレイ６に表示させる放送コンテンツを切り替える。また、テレビ受信機５は、連携アプリケーションの取得を指示する指示情報を、携帯端末４に送信する。
【００２３】
［本発明の機能構成］
続いて、図２を参照して、視聴数測定サーバ３、携帯端末４及びテレビ受信機５の構成について説明する。図２は、視聴数測定サーバ３、携帯端末４及びテレビ受信機５の機能構成を示すブロック図である。
【００２４】
［テレビ受信機５の構成］
初めに、テレビ受信機５は、無線部５１と、記憶部５２と、通信部５３と、制御部５４とを備える。
【００２５】
無線部５１は、Ｗｉ−Ｆｉ等の無線通信回線を介して他の端末装置との間で通信を行う。一例として、無線部５１は、無線通信回線を介して複数の携帯端末４のそれぞれと通信可能に接続され、これらの携帯端末４に指示情報を送信する。また、無線部５１は、通信部５３を介して取得したコンテンツを携帯端末４に送信する。
記憶部５２は、例えば、ＲＯＭ及びＲＡＭ等により構成される。記憶部５２は、テレビ受信機５を機能させるための各種プログラムや各種データを記憶する。
【００２６】
通信部５３は、放送コンテンツサーバ１から提供される放送コンテンツを受信すると、当該放送コンテンツを制御部５４に出力する。また、通信部５３は、インターネットを介して外部機器と接続され、外部機器との間で所定の通信を行う。一例として、通信部５３は、Ｗｅｂコンテンツサーバ２からハイブリッドキャスト放送で用いられるＨＴＭＬアプリを取得する。
【００２７】
制御部５４は、例えば、ＣＰＵにより構成される。制御部５４は、記憶部５２に記憶されている各種プログラムを実行することにより、テレビ受信機５に係る機能を統括的に制御し、装置送信部５４１として機能する。
【００２８】
装置送信部５４１は、携帯端末４に対して放送コンテンツと連携する連携アプリケーションの取得を指示する指示情報を取得すると、当該指示情報を携帯端末４に送信する。具体的には、装置送信部５４１は、通信部５３が受信した、ハイブリッドキャストに対応する放送コンテンツに含まれている指示情報を抽出し、当該指示情報を携帯端末４に送信する。
【００２９】
［携帯端末４の構成］
携帯端末４は、無線部４１と、表示部４２と、記憶部４３と、制御部４４とを備える。
【００３０】
無線部４１は、Ｗｉ−Ｆｉ等の無線通信回線を介して他の端末装置との間で所定の通信を行う。例えば、無線部４１は、無線通信回線を介してテレビ受信機５と通信を行ったり、基地局８及びネットワーク７を介してＷｅｂコンテンツサーバ２と通信を行ったりする。
【００３１】
表示部４２は、例えば、液晶ディスプレイや有機ＥＬ（Electro-Luminescence）ディスプレイ等により構成される。表示部４２は、制御部４４の制御に応じてコンパニオンアプリや連携アプリケーションの表示画面を表示する。
記憶部４３は、例えば、ＲＯＭ及びＲＡＭ等により構成される。記憶部４３は、携帯端末４を機能させるための各種プログラムや各種データを記憶する。
【００３２】
制御部４４は、例えば、ＣＰＵにより構成される。制御部４４は、記憶部４３に記憶されている各種プログラムを実行することにより、携帯端末４に係る機能を統括的に制御し、指示情報受信部４４１、実行部４４２及び受付部４４３として機能する。
【００３３】
指示情報受信部４４１は、テレビ受信機５から送信された指示情報を、無線部４１を介して受信する。
実行部４４２は、例えば、コンパニオンアプリの１機能である。実行部４４２は、指示情報受信部４４１が受信した指示情報に基づいて、無線部４１を介して連携アプリケーションを取得し、取得した連携アプリケーションを実行する。具体的には、実行部４４２は、受信した指示情報に含まれている、連携アプリケーションの格納先（Ｗｅｂコンテンツサーバ２）のアドレスに基づいてＷｅｂコンテンツサーバ２にアクセスし、連携アプリケーションを取得する。実行部４４２は、取得した連携アプリケーションを実行する。また、実行部４４２は、連携アプリケーションを実行したことに応じて、連携アプリケーションを実行したことを示す実行情報を視聴数測定サーバ３に送信する。
【００３４】
図３は、連携アプリケーションが実行されている状態の一例を示す図である。例えば、図３に示す連携アプリケーションの表示画面には、テレビ受信機５に現在表示されている放送コンテンツの詳細情報と、放送コンテンツを肯定的に評価するための画像として、「いいね！」ボタンが表示されている。なお、「いいね！」ボタンは、図４に示すように、リモコンアプリ（コンパニオンアプリ）の表示画面に表示されていてもよい。
【００３５】
受付部４４３は、実行部４４２が連携アプリケーションを実行している際に所定の操作を受け付けると、視聴数測定サーバ３にアクセスする。例えば、所定の操作とは、連携アプリケーション又はコンパニオンアプリの表示画面に表示されている「いいね！」ボタンの操作を受け付けることをいう。受付部４４３は、「いいね！」ボタンの操作を受け付けたことに応じて、所定の操作を受け付けたことを示す操作受付情報を視聴数測定サーバ３に送信する。なお、受付部４４３は、「いいね！」ボタンの操作に限らず、連携アプリケーション又はコンパニオンアプリの表示画面へのタッチ操作を受け付けたことに応じて、操作受付情報を視聴数測定サーバ３に送信してもよい。
【００３６】
［視聴数測定サーバ３の構成］
視聴数測定サーバ３は、視聴数測定部３１を含んで構成される。
視聴数測定部３１は、連携アプリケーションの実行状況に基づいて放送コンテンツの視聴数を測定する。具体的には、視聴数測定部３１は、複数の携帯端末４から受信した実行情報の数を集計することにより、視聴数を測定する。
【００３７】
また、視聴数測定部３１は、連携アプリケーション又はコンパニオンアプリの表示画面において、所定の操作が行われた携帯端末４の数を放送コンテンツの視聴数として測定してもよい。例えば、視聴数測定部３１は、複数の携帯端末４において「いいね！」ボタンを押したことによって送信された操作受付情報の受信数を集計することにより、視聴数を測定してもよい。このようにすることで、視聴数測定サーバ３は、放送コンテンツに興味を抱いている視聴者の数を測定することができる。
【００３８】
また、視聴数測定部３１は、放送コンテンツの放送中の所定時間内における連携アプリケーションの実行状況に基づいて視聴数を測定してもよい。具体的には、視聴数測定部３１は、放送コンテンツの放送中の所定の時間帯において、所定の操作が行われた携帯端末４の数を放送コンテンツの視聴数として測定してもよい。例えば、視聴数測定部３１は、放送コンテンツの放送中のＣＭの時間及び当該ＣＭ時間の前後の所定時間において、所定の操作が行われた携帯端末４の数を放送コンテンツの視聴数として測定してもよい。
【００３９】
例えば、連携アプリケーションは、視聴者参加型の番組において、図５に示すようなアンケート等の回答を受け付けるためのボタンを定期的に携帯端末４の表示部４２に表示させる。そして、視聴数測定部３１は、連携アプリケーションにおける、ＣＭの直前に表示されたボタンの操作状況に基づいて視聴数を測定してもよい。例えば、受付部４４３は、ＣＭの直前に、図５に示すように、ユーザの血液型をＣＭが終了するまでに回答可能な４つのボタンが携帯端末４に表示された場合、当該ボタンが押されたことに応じて操作受付情報を視聴数測定サーバ３に送信する。視聴数測定部３１は、当該操作受付情報の受信数を集計することにより視聴数を測定してもよい。このようにすることで、視聴数測定サーバ３は、最適なタイミングで視聴数を測定することができる。
【００４０】
［視聴数測定システムＳの処理］
続いて、図６を参照して、視聴数測定システムＳにおいて視聴数を測定する処理の流れについて説明する。図６は、第１の実施形態に係る視聴数測定システムＳにおける視聴数を測定する処理の流れを示すシーケンス図である。なお、図６に示すシーケンスでは、テレビ受信機５及び携帯端末４をそれぞれ１台ずつ示しているが、実際には、複数のテレビ受信機５及び携帯端末４において同様の処理が行われるものとする。
【００４１】
まず、テレビ受信機５の装置送信部５４１は、ハイブリッドキャストに対応する放送コンテンツから指示情報を取得したか否かを判定する（Ｓ１）。装置送信部５４１は、指示情報を取得したと判定すると、携帯端末４に対して、当該指示情報を送信する。
【００４２】
続いて、携帯端末４の指示情報受信部４４１が、テレビ受信機５から指示情報を受信すると、実行部４４２は、当該指示情報に基づいて、Ｗｅｂコンテンツサーバ２から連携アプリケーションを取得して実行する（Ｓ２、Ｓ３）。続いて、実行部４４２は、連携アプリケーションを実行したことを示す実行情報を視聴数測定サーバ３に送信する。
【００４３】
続いて、視聴数測定サーバ３の視聴数測定部３１は、携帯端末４から実行情報を受信する。視聴数測定部３１は、複数の携帯端末４から受信した実行情報の数を計数することにより、連携アプリケーションの実行状況に基づく放送コンテンツの視聴数を測定する（Ｓ４）。
【００４４】
続いて、携帯端末４の受付部４４３は、連携アプリケーション又はコンパニオンアプリにおいて所定操作を受け付けたか否かを判定する（Ｓ５）。受付部４４３は、所定操作を受け付けたと判定すると、操作受付情報を視聴数測定サーバ３に送信する。
【００４５】
続いて、視聴数測定サーバ３の視聴数測定部３１は、携帯端末４から操作受付情報を受信する。視聴数測定部３１は、複数の携帯端末４から受信した操作受付情報の数を計数することにより、連携アプリケーション又はコンパニオンアプリの操作状況に基づく放送コンテンツの視聴数を測定する（Ｓ６）。
【００４６】
［第１の実施形態における効果］
以上のとおり、第１の実施形態に係る視聴数測定システムＳでは、携帯端末４が、連携アプリケーションの取得を指示する指示情報を受信すると、当該指示情報に基づいて連携アプリケーションを取得して実行し、視聴数測定サーバ３が、連携アプリケーションの実行状況に基づいて放送コンテンツの視聴数を測定する。
【００４７】
連携アプリケーションは、携帯端末４において自動的に実行されることから、視聴数測定サーバ３は、携帯端末４のユーザの操作にかかわらず、精度良く視聴数を測定することができる。
【００４８】
さらに、視聴数測定サーバ３は、複数の携帯端末４において所定の操作が行われたことによって送信された操作受付情報の受信数を集計することにより視聴数を測定するので、実行情報を受信した数に基づいて測定した視聴数と、操作受付情報を受信した数に基づいて測定した視聴数との関係を解析することによって、視聴者のうち、興味を持って番組を視聴している視聴者の割合を特定することができる。
【００４９】
なお、第１の実施形態では、実行部４４２は、連携アプリケーションを実行したことに応じて、連携アプリケーションを実行したことを示す実行情報を視聴数測定サーバ３に送信したが、これに限らない。例えば、実行部４４２は、連携アプリケーションを取得したことに応じて、実行情報を視聴数測定サーバ３に送信するようにしてもよい。このようにすることで、視聴数測定サーバ３は、複数の携帯端末４に配信された連携アプリケーションの数を視聴数として測定することができる。
【００５０】
＜第２の実施形態＞
続いて、第２の実施形態について説明する。第１の実施形態では、所定の操作が行われたことに応じて送信された操作受付情報の受信数に基づいて、放送コンテンツに対して関心のあるユーザの視聴数を測定する例について説明した。しかしながら、所定の操作が行われたことのみでは、放送コンテンツに対して関心が高いことを高精度に判定できないという問題がある。これに対して、第２の実施形態では、携帯端末４の放送コンテンツに対する関心度を測定し、視聴数測定サーバ３が、当該関心度に基づいて視聴数を測定する点で第１の実施形態と異なり、その他の点では同じである。
【００５１】
図７は、第２の実施形態に係る視聴数測定サーバ３、携帯端末４及びテレビ受信機５の機能構成を示すブロック図である。第２の実施形態において、携帯端末４の制御部４４は、関心度測定部４４４をさらに備える。
【００５２】
関心度測定部４４４は、携帯端末４の操作状況に基づいて、放送コンテンツに対する関心度を測定する。関心度測定部４４４は、例えば、コンパニオンアプリの１機能である。例えば、関心度測定部４４４は、連携アプリケーションに対する所定時間内の操作回数を測定することにより、携帯端末４のユーザの放送コンテンツに対する関心度を測定する。関心度測定部４４４は、例えば、操作回数が多ければ多い程、関心度を高くする。なお、関心度測定部４４４は、連携アプリケーションの起動から終了までの時間又は放送コンテンツの放送時間帯における操作回数を測定することにより、携帯端末４のユーザの放送コンテンツに対する関心度を測定してもよい。
【００５３】
また、関心度測定部４４４は、携帯端末４が備える加速度センサ（不図示）が検出する加速度に基づいて、携帯端末４のユーザの関心度を測定してもよい。例えば、関心度測定部４４４は、予め定められた第１の時間にわたって加速度が検出されない場合、携帯端末４のユーザが不在であるとして、放送コンテンツに対する関心度を低くしてもよい。また、関心度測定部４４４は、検出された加速度が所定時間内に予め定められた第１の回数以上変化している場合、ユーザが、携帯端末４において、放送コンテンツとは関係のないコンテンツ又はアプリケーションを操作していると判定し、放送コンテンツに対する関心度を低くしてもよい。
【００５４】
受付部４４３は、関心度測定部４４４が測定した関心度が所定の閾値を超えると、視聴数測定サーバ３に操作受付情報を送信することで、視聴数測定サーバ３にアクセスする。
視聴数測定サーバ３の視聴数測定部３１は、関心度測定部４４４が測定した関心度が所定の閾値を超えたユーザに対応する携帯端末４の数を視聴数として測定する。具体的には、視聴数測定部３１は、複数の携帯端末４から受信した操作受付情報の数を集計することにより、放送コンテンツの視聴数を測定する。このようにすることで、視聴数測定サーバ３では、所定操作に基づいて送信される操作受付情報に基づいて視聴数を測定する場合に比べて、放送コンテンツに対する関心の高いユーザの視聴数を精度良く測定することができる。
【００５５】
なお、受付部４４３は、関心度が所定の閾値を超えると、操作受付情報を送信することとしたが、これに限らない。例えば、視聴数測定サーバ３に、関心度を示す関心度情報及び操作受付情報を送信することで、視聴数測定サーバ３にアクセスしてもよい。例えば、関心度の閾値として、例えば、閾値Ａと、閾値Ｂ（ただし、閾値Ｂ＞閾値Ａ）とを設ける。そして、受付部４４３は、関心度が閾値Ａ未満の場合、放送コンテンツに対してユーザが殆ど興味がない旨を示す関心度情報及び操作受付情報を送信する。また、受付部４４３は、関心度が、閾値Ａ以上、閾値Ｂ未満の場合、放送コンテンツに対してユーザが興味がある旨を示す関心度情報及び操作受付情報を送信する。また、受付部４４３は、関心度が、閾値Ｂ以上の場合、放送コンテンツに対してユーザが非常に興味がある旨を示す関心度情報及び操作受付情報を送信する。そして、視聴数測定サーバ３の視聴数測定部３１は、複数の携帯端末４から受信した操作受付情報の数を、関心度情報ごとに集計することにより、放送コンテンツの視聴数を測定する。このようにすることで、放送コンテンツに対するユーザの関心度をより詳細に分析することができる。
【００５６】
なお、受付部４４３は、操作受付情報を視聴数測定サーバ３に送信する際に、携帯端末４のユーザの属性情報を送信するようにしてもよい。ユーザの属性情報は、例えば、年齢性別、趣味等を示す情報である。これらの情報は、例えば、コンパニオンアプリにおいて予め受け付けたり、携帯端末４のユーザの許可を得て携帯端末４に登録されているプロフィール情報から取得したりしてもよい。そして、視聴数測定サーバ３の視聴数測定部３１は、属性情報ごとに放送コンテンツの視聴数を測定するようにしてもよい。このようにすることで、視聴数測定サーバ３は、放送コンテンツの視聴状況と、属性情報との関係について分析することができる。
【００５７】
また、受付部４４３は、操作受付情報を視聴数測定サーバ３に送信する際に、携帯端末４のユーザを識別する識別情報を送信するようにし、視聴数測定サーバ３は、携帯端末４とは異なる外部装置（例えば、ＳＮＳサーバ等）から、当該ユーザの識別情報及び当該ユーザの属性情報を取得してもよい。このようにすることで、視聴数測定サーバ３の視聴数測定部３１は、携帯端末４が記憶している属性情報が示す属性とは異なる属性に対応する視聴状況について分析することができる。
【００５８】
なお、第２の実施形態では、携帯端末４が関心度測定部４４４を備えることとしたが、これに限らず、視聴数測定サーバ３が、関心度測定部４４４を備えることとしてもよい。この場合、視聴数測定サーバ３は、複数の携帯端末４における操作状況を示す情報を受信し、当該情報に基づいて、複数の携帯端末４のそれぞれにおける放送コンテンツに対する関心度を測定する。そして、視聴数測定部３１は、関心度測定部４４４が測定した関心度が所定の閾値を超えたユーザに対応する携帯端末４の数を視聴数として測定する。
【００５９】
＜第３の実施形態＞
続いて、第３の実施形態について説明する。第１の実施形態では、携帯端末４が、連携アプリケーションの実行を示す実行情報を視聴数測定サーバ３に送信し、視聴数測定サーバ３が、当該実行情報の受信数に基づいて視聴数を測定した。これに対して、第３の実施形態では、テレビ受信機５が、携帯端末４のユーザが放送コンテンツを視聴している旨を示す視聴情報を視聴数測定サーバ３に送信し、視聴数測定サーバ３が、当該視聴情報の受信数に基づいて視聴数を測定する点で第１の実施形態と異なる。
【００６０】
図８は、第３の実施形態に係る視聴数測定サーバ３、携帯端末４及びテレビ受信機５の機能構成を示すブロック図である。第３の実施形態において、携帯端末４の制御部４４は、測定部４４５と、端末送信部４４６とをさらに備える。また、テレビ受信機５の制御部５４は、装置受信部５４２をさらに備える。
【００６１】
測定部４４５は、テレビ受信機５から受信した無線通信回線用の電波の強度を測定する。
端末送信部４４６は、測定部４４５が測定した電波の強度を示す電波強度情報をテレビ受信機５に送信する。また、端末送信部４４６は、連携アプリケーションが実行されたことに応じて、連携アプリケーションの実行を示す実行情報をテレビ受信機５に送信する。
【００６２】
テレビ受信機５の装置受信部５４２は、複数の携帯端末４から電波強度情報を受信し、当該電波強度情報を、携帯端末４の識別情報と、受信時刻とを関連付けて記憶部５２に記憶させる。また、装置受信部５４２は、複数の携帯端末４から実行情報を受信する。
装置送信部５４１は、装置受信部５４２が実行情報を携帯端末４から受信すると、当該携帯端末４が連携アプリケーションを実行しているものと判定し、当該携帯端末４のユーザが放送コンテンツを視聴している旨を示す視聴情報を、通信部５３を介して視聴数測定サーバ３に送信する。
【００６３】
具体的には、装置送信部５４１は、携帯端末４から実行情報を受信すると、所定時間内に記憶部５２に記憶された電波強度情報に基づいて、当該携帯端末４に対応する電波の強度から所定範囲内の電波の強度に対応する他の携帯端末４を特定する。そして、装置送信部５４１は、当該他の携帯端末４から実行情報を受信していない状態であっても、同じような電波の強度を示す値を持つ、つまり同じような位置にそれら端末は存在するという判断の下、当該他の携帯端末４のユーザが放送コンテンツを視聴しているものとみなす。装置送信部５４１は、他の携帯端末４のユーザが放送コンテンツを視聴している旨を示す視聴情報も視聴数測定サーバ３に送信する。これにより、装置送信部５４１は、放送コンテンツを視聴している携帯端末４のユーザの数の視聴情報を視聴数測定サーバ３に送信する。
【００６４】
ここで、装置受信部５４２は、複数の携帯端末４から電波強度情報の他に、携帯端末４の加速度センサが検出する加速度を定期的に受信してもよい。そして、装置送信部５４１は、当該加速度に基づいて、それぞれの携帯端末４に対応して視聴情報を送信するか否かを判定してもよい。装置送信部５４１は、例えば、加速度が長時間にわたって変化していない携帯端末４については、誰の所有物でもなく、据え置きされている端末と判定し、当該携帯端末４に対応する視聴情報を送信しないようにしてもよい。また、装置送信部５４１は、加速度が予め定められた時間にわたって変化し続けている携帯端末４については、当該端末のユーザが、放送コンテンツと関連性のないコンテンツを閲覧していると判定し、当該携帯端末４に対応する視聴情報を送信しないようにしてもよい。
【００６５】
また、装置送信部５４１は、コンパニオンアプリの実行状態を監視し、当該実行状態に基づいて、携帯端末４に対応する視聴情報を送信するか否かを判定してもよい。具体的には、装置送信部５４１は、コンパニオンアプリを実行している携帯端末４について、当該端末のユーザが放送コンテンツを視聴していると判定し、当該携帯端末４に対応する視聴情報を送信するようにしてもよい。
【００６６】
また、装置送信部５４１は、携帯端末４から実行情報を受信した後、定期的に当該携帯端末４のユーザが放送コンテンツを視聴しているか否かを判定し、視聴していると判定した場合に、視聴情報を定期的に送信するようにしてもよい。
【００６７】
具体的には、装置送信部５４１は、装置受信部５４２が実行情報を送信した携帯端末４から新たに電波強度情報を受信したことに応じて、当該電波強度情報に対応する電波の強度に基づいて当該携帯端末４が放送コンテンツを視聴しているか否かを判定する。そして、装置送信部５４１は、放送コンテンツを視聴していると判定したことに応じて視聴情報を視聴数測定サーバ３に送信する。また、装置送信部５４１は、装置受信部５４２が実行情報を送信した携帯端末４から所定時間以内に新たに電波強度情報を受信しなかった場合、当該携帯端末４のユーザが放送コンテンツを視聴していないと判定し、視聴数測定サーバ３に視聴情報を新たに送信しないようにしてもよい。このようにすることで、視聴数測定サーバ３は、視聴情報を定期的に受信して、放送コンテンツの放送中における視聴数の変化を測定することができる。
【００６８】
なお、装置送信部５４１は、第１の時間内に連携アプリケーションの実行を指示する指示情報を携帯端末４に送信している場合には、その後、装置受信部５４２が携帯端末４から所定時間内に新たに電波強度情報を受信しなかった場合であっても、当該携帯端末４のユーザが放送コンテンツを視聴していると判定してもよい。すなわち、装置送信部５４１は、第１の時間内に指示情報を携帯端末４に送信している場合、当該携帯端末４における電波強度情報を把握できない状態であっても、当該携帯端末４のユーザが放送コンテンツを視聴していると判定してもよい。ここで、第１の時間は、所定時間よりも短いものとする。そして、装置送信部５４１は、視聴数測定サーバ３に、当該携帯端末４に対応する視聴情報を送信するようにしてもよい。
【００６９】
視聴数測定サーバ３の視聴数測定部３１は、テレビ受信機５から受信した視聴情報の数を集計することにより、放送コンテンツを視聴している携帯端末４のユーザ数を視聴数として測定する。
【００７０】
［視聴数測定システムＳの処理］
続いて、図９を参照して、視聴数測定システムＳにおいて視聴数を測定する処理の流れについて説明する。図９は、第３の実施形態に係る視聴数測定システムＳにおける視聴数を測定する処理の流れを示すシーケンス図である。なお、図９に示すシーケンスでは、テレビ受信機５、携帯端末４及び他の携帯端末４は、それぞれ１台ずつ表記しているが、実際には、複数のテレビ受信機５、携帯端末４及び他の携帯端末４において同様の処理が行われるものとする。
【００７１】
まず、携帯端末４及び他の携帯端末４は、定期的に電波強度を測定し、電波強度情報をテレビ受信機５に送信する（Ｓ１１、Ｓ１２）。テレビ受信機５の装置受信部５４２は、電波強度情報を受信すると、端末の識別情報及び受信時刻と関連付けて記憶部５２に記憶させる（Ｓ１３）。
【００７２】
続いて、携帯端末４において、連携アプリケーションが実行されると（Ｓ１４）、端末送信部４４６は、実行情報をテレビ受信機５に送信する。テレビ受信機５の装置送信部５４１は、携帯端末４から実行情報を受信すると、所定時間内に記憶部５２に記憶された電波強度情報に基づいて、当該携帯端末４に対応する電波の強度から所定範囲内の電波の強度に対応する他の携帯端末４を特定する（Ｓ１５）。その後、装置送信部５４１は、放送コンテンツを視聴している携帯端末４のユーザの数の視聴情報を視聴数測定サーバ３に送信する。
【００７３】
視聴数測定サーバ３の視聴数測定部３１は、テレビ受信機５から受信した視聴情報の数を集計することにより、放送コンテンツを視聴している携帯端末４のユーザ数を視聴数として測定する（Ｓ１６）。
【００７４】
［第３の実施形態における効果］
以上のとおり、第３の実施形態に係る視聴数測定システムＳでは、テレビ受信機５の装置受信部５４２は、複数の携帯端末４から、電波強度情報を受信し、装置送信部５４１は、実行情報を受信すると、取得した電波強度情報に基づいて、実行情報を送信した携帯端末４に対応する電波の強度から所定範囲内の電波の強度に対応する他の携帯端末４を特定し、当該他の携帯端末４のユーザが放送コンテンツを視聴している旨を示す視聴情報を視聴数測定サーバ３に送信する。このようにすることで、放送コンテンツを閲覧している複数の携帯端末４のユーザのうち、一のユーザの携帯端末４が連携アプリケーションを実行している場合であっても、これら複数のユーザが放送コンテンツを閲覧していると判断し、これらのユーザを視聴数に反映させることができる。
【００７５】
＜第４の実施形態＞
続いて、第４の実施形態について説明する。第３の実施形態では携帯端末４が連携アプリケーションを実行したことに応じて実行情報をテレビ受信機５に送信したのに対し、第４の実施形態では、携帯端末４が、連携アプリケーションの実行を示す実行情報をテレビ受信機５に定期的に送信する点で第３の実施形態と異なる。
【００７６】
具体的には、端末送信部４４６は、実行情報をテレビ受信機５に定期的に送信する。
装置送信部５４１は、装置受信部５４２が実行情報を受信したことに応じて、携帯端末４のユーザが放送コンテンツを視聴している旨を示す視聴情報を視聴数測定サーバ３に送信する。
【００７７】
視聴数測定サーバ３の視聴数測定部３１は、放送コンテンツの放送中の所定時間内にテレビ受信機５から受信した視聴情報の数に基づいて視聴数を測定することにより、所定時間内における連携アプリケーションの実行状況に基づく視聴数を測定する。このようにすることで、視聴数測定サーバ３は、所定時間ごとの放送コンテンツの視聴数を測定することができる。
【００７８】
＜第５の実施形態＞
続いて、第５の実施形態について説明する。第５の実施形態では、複数の地域で放送される異なる放送コンテンツに対して同一の番組識別情報が用いられることに対応するものであり、地域ごとに放送コンテンツの視聴数を測定するようにしたものである。
【００７９】
第５の実施形態において、テレビ受信機５の装置送信部５４１は、連携アプリケーションが実行されたことを示す実行情報を受信したことに応じて、視聴情報と、テレビ受信機５が設置されている地域を示す地域情報とを視聴数測定サーバ３に送信する。ここで、テレビ受信機５に対応する地域情報は、テレビ受信機５に予め記憶されているものとする。
視聴数測定サーバ３の視聴数測定部３１は、視聴情報及び地域情報を受信すると、受信した地域情報が示す地域ごとに視聴数を測定する。
【００８０】
［第５の実施形態における効果］
以上のとおり、視聴数測定サーバ３は、複数の地域で放送される異なる放送コンテンツに対して同一の番組識別情報が用いられる場合であっても、ユーザが実際に視聴した放送コンテンツを正しく特定し、当該放送コンテンツに対応する視聴数を正確に測定することができる。
【００８１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８２】
１・・・放送コンテンツサーバ、２・・・Ｗｅｂコンテンツサーバ、３・・・視聴数測定サーバ、３１・・・視聴数測定部、４・・・携帯端末、４１・・・無線部、４２・・・表示部、４３・・・記憶部、４４・・・制御部、４４１・・・指示情報受信部、４４２・・・実行部、４４３・・・受付部、４４４・・・関心度測定部、４４５・・・測定部、４４６・・・端末送信部、５・・・テレビ受信機、５１・・・無線部、５２・・・記憶部、５３・・・通信部、５４・・・制御部、５４１・・・装置送信部、５４２・・・装置受信部、６・・・ディスプレイ、７・・・ネットワーク、８・・・基地局
【図１】
2018007265.tif 000003
【図２】
2018007265.tif 000004
【図３】
2018007265.tif 000005
【図４】
2018007265.tif 000006
【図５】
2018007265.tif 000007
【図６】
2018007265.tif 000008
【図７】
2018007265.tif 000009
【図８】
2018007265.tif 000010
【図９】
2018007265.tif 000011